(57)【要約】  多数のスピーカキャビネットでの融通性、および低減された空間要件を提供するために、第１の面（４０）を有する第１のスピーカキャビネット（１０）と、使用中に第１の面を通して放出すべき音響を作り出すための第１のスピーカ（３０）とを備えるモジュール式スピーカシステムであって、第１のスピーカキャビネットは、第２のスピーカ（８０）を含む第２のスピーカキャビネット（２０）が第１のスピーカキャビネット（１０）に隣接して配置された状態で、使用中に第２のスピーカ（８０）が作り出す音響が第１の通路（５０）を通って移動して、第１のスピーカキャビネット（１０）の第１の面（４０）を通して放出されるように配列された第１の通路（５０）を含むモジュール式スピーカシステムを提供する。【選択図】  図１
2020512756.tif 000002
【特許請求の範囲】
【請求項１】
第１の面を有する第１のスピーカキャビネットと、使用中に前記第１の面を通して放出すべき音響を作り出すための第１のスピーカとを備えるモジュール式スピーカシステムであって、前記第１のスピーカキャビネットは、第２のスピーカを含む第２のスピーカキャビネットが前記第１のスピーカキャビネットに隣接して配置された状態で、使用中に前記第２のスピーカが作り出す音響が第１の通路を通って移動して、前記第１のスピーカキャビネットの前記第１の面を通して放出されるように配列された前記第１の通路を含むモジュール式スピーカシステム。
【請求項２】
前記第１のスピーカキャビネットは、第３のスピーカを含む第３のスピーカキャビネットが前記第１のスピーカキャビネットに隣接して配置された状態で、使用中に前記第３のスピーカが作り出す音響が第２の通路を通って移動して、前記第１のスピーカキャビネットの前記第１の面を通して放出されるように配列された前記第２の通路をさらに備える、請求項１に記載のモジュール式スピーカシステム。
【請求項３】
前記第１のスピーカキャビネット内の前記第１の通路に隣接して配列された、第２のスピーカを含む第２のスピーカキャビネットをさらに備える、請求項１または２のいずれか一項に記載のモジュール式スピーカシステム。
【請求項４】
前記第１のスピーカキャビネット内の前記第２の通路に隣接して配列された、第３のスピーカを含む第３のスピーカキャビネットをさらに備える、請求項１〜３のいずれか一項に記載のモジュール式スピーカシステム。
【請求項５】
第２のスピーカキャビネットは、第３のスピーカを含む第３のスピーカキャビネットが前記第２のスピーカキャビネットに隣接して配置された状態で、使用中に前記第３のスピーカが作り出す前記音響が第３の通路、ならびに前記第１の通路および／または前記第２の通路のいずれかを通って移動して、前記第１のスピーカキャビネットの前記第１の面を通って放出されるように配列された前記第３の通路をさらに備える、請求項１〜３のいずれか一項に記載のモジュール式スピーカシステム。
【請求項６】
前記第２のスピーカキャビネットは、前記第２のスピーカから前記第２のスピーカキャビネットの外側の表面内の開口部まで前記音響を伝達するように配列された第４の通路を含み、前記開口部の場所は、前記第１のスピーカキャビネットおよび前記第２のスピーカキャビネットが互いに隣接した状態で、前記第１のスピーカキャビネット内の前記第１の通路の端部と一直線に合う、請求項１〜３のいずれか一項に記載のモジュール式スピーカシステム。
【請求項７】
前記第３のスピーカキャビネットは、前記第３のスピーカから前記第３のスピーカキャビネットの外側の表面内の開口部まで前記音響を伝達するように配列された第５の通路を含み、前記開口部の場所は、前記第１のスピーカキャビネットおよび前記第２のスピーカキャビネットが互いに隣接した状態で、前記第１のスピーカキャビネット内の前記第１の通路の端部と一直線に合う、または前記第２のスピーカキャビネットおよび前記第３のスピーカキャビネットが互いに隣接した状態で、前記第２のスピーカキャビネット内の前記第３の通路の端部と一直線に合う、請求項４に記載のモジュール式スピーカシステム。
【請求項８】
前記第１のスピーカキャビネット、前記第２のスピーカキャビネット、および前記第３のスピーカキャビネットの任意の１つは、反射ポートを含む、請求項１〜７のいずれか一項に記載のモジュール式スピーカシステム。
【請求項９】
前記第２のスピーカキャビネットの前記反射ポートは、前記第１のスピーカキャビネットおよび前記第２のスピーカキャビネットが互いに隣接した状態で、前記第１のスピーカキャビネットにより妨げられていないように配列される、請求項８に記載のモジュール式スピーカシステム。
【請求項１０】
請求項６と直接または間接的に従属関係にあるとき、前記第２のスピーカキャビネットの前記反射ポートは、前記開口部として前記第２のスピーカキャビネットの同じ側面上に配列される、請求項８に記載のモジュール式スピーカシステム。
【請求項１１】
前記第１のスピーカキャビネットの前記反射ポートは、前記第１の面上に配列される、請求項８に記載のモジュール式スピーカシステム。
【請求項１２】
前記第１のスピーカキャビネット、前記第２のスピーカキャビネット、および前記第３のスピーカキャビネットは、前記スピーカキャビネットを一緒に解放可能なように取り付けるための取付手段を含む、請求項１〜１１のいずれか一項に記載のモジュール式スピーカシステム。
【請求項１３】
前記取付手段は、外箱留め金を含む、請求項１２に記載のモジュール式スピーカシステム。
【請求項１４】
前記取付手段は、前記第１のスピーカキャビネットおよび前記第２のスピーカキャビネットの各々の上に一方の部分が配列された、２つの協同する部分を含む、請求項１２または１３のいずれかに記載のモジュール式スピーカシステム。
【請求項１５】
請求項３と直接または間接的に従属関係にあるとき、前記第１のスピーカキャビネットと前記第２のスピーカキャビネットの両方は、各キャビネット上で１対の取付手段の間の距離が同じになるように配列される前記１対の取付手段を含む、請求項１２〜１５のいずれか一項に記載のモジュール式スピーカシステム。
【請求項１６】
２つの第１のスピーカキャビネットおよび２つの第２のスピーカキャビネットを備え、前記２つの第１のスピーカキャビネットおよび前記２つの第２のスピーカキャビネットは、前記２つの第１のスピーカキャビネットが横に並んでおり、かつ前記２つの第２のスピーカキャビネットが前記２つの第１のスピーカキャビネットに隣接して横に並んでいる状態で、前記２つの第１のスピーカキャビネットおよび前記２つの第２のスピーカキャビネットをすべて一緒に解放可能なように取り付けるための取付手段を含む、請求項３に記載のモジュール式スピーカシステム。
【請求項１７】
前記２つの第１のスピーカキャビネットの２つの第１の通路は、前記２つの横に並んだ第１のスピーカキャビネットの中央に、または前記中央に向けて配列される、請求項１６に記載のモジュール式スピーカシステム。
【請求項１８】
前記第１の通路、前記第２の通路、前記第３の通路、または前記第４の通路のいずれの端部も解放可能なように遮断するための閉塞手段をさらに備える、請求項１〜１７のいずれか一項に記載のモジュール式スピーカシステム。
【発明の詳細な説明】
【技術分野】
【０００１】
本発明は、一般にモジュール式スピーカシステムに関し、詳細だが限定することなく、放出音圧レベルが１００ｄＢを超える場合に使用するスピーカシステムで有用である。
【背景技術】
【０００２】
そのような状況では、スピーカから離れた距離でさえ、聴衆が満足して聞こえ得るレベルで音響の全周波数範囲が放出されることを確実にするために、多くの異なるスピーカキャビネットを必要とする。
【０００３】
そのようなスピーカキャビネットは、典型的には互いに上下し、隣接して積み重ねられるが、貴重な舞台スペースを取る、または舞台の両側にスピーカキャビネットの塔を構築する必要がある。これを回避する１つの方法は、積み重ねたスピーカキャビネットを吊り下げることであるが、吊り下げるには、さらなる基礎構造を必要とし、これにより、費用および据付時間が増大し、依然として場所を取る。
【発明の概要】
【発明が解決しようとする課題】
【０００４】
周波数全域を提供するが、より狭い空間を占有し、組立ておよび分解をするのが簡単な多数のスピーカキャビネットを提供することができることが望ましい。
【課題を解決するための手段】
【０００５】
第１の様態では、本発明は、第１の面を有する第１のスピーカキャビネットと、使用中に第１の面を通して放出すべき音響を作り出すための第１のスピーカとを備えるモジュール式スピーカシステムであって、第１のスピーカキャビネットは、第２のスピーカを含む第２のスピーカキャビネットが第１のスピーカキャビネットに隣接して配置された状態で、使用中に第２のスピーカが作り出す音響が第１の通路を通って移動して、第１のスピーカキャビネットの第１の面を通して放出されるように配列された第１の通路を含むモジュール式スピーカシステムを提供する。
【０００６】
このようにして、第１のスピーカキャビネットを前方に、第２のスピーカキャビネットを背後にして前後に並ぶ手法で、第２のスピーカキャビネットを第１のスピーカキャビネットに取り付け得る。第１のスピーカキャビネットおよび第２のスピーカキャビネットからの音響が、同じ第１の面から放出され得るように、第２のスピーカキャビネットから放出される音響は、第１の通路を通って第１の面に移動し得る。このようにして、第１のスピーカキャビネットおよび第２のスピーカキャビネットは、前後に並べて配列して、第１のスピーカキャビネットおよび第２のスピーカキャビネットを互いに上下に積み重ねる、または横に並べる必要をなくし得る。
【０００７】
第１の面は、キャビネットの一方の側面内にある１つまたは複数の開口部であり得る。開口部は、一方の側面の全体にわたり広がり得る。第１の面は、キャビネットの孔の開いた側面であり得る。第１の面は、織物遮蔽物などのカバーを含み得るが、他の材料が企図される。
【０００８】
第１の通路の一方の端部は、第１の面と異なる、第１のスピーカキャビネットの側面から伸長し得る。たとえば、第１の通路の一方の端部は、キャビネットの第１の面と反対の側面上のキャビネットの面から伸長し得る。第１の通路の横断面形状および／または面積は、第１の通路の長さに沿って変わり得る。第１の通路の長手方向の軸は、直線であり得る。あるいは、第１の通路の長手方向の軸は、その長さに沿って弯曲部を含み得る。
【０００９】
第１の通路の他方の端部は、第１の面上で開口し得る。
【００１０】
第１のスピーカキャビネットは、第３のスピーカを含む第３のスピーカキャビネットが第１のスピーカキャビネットに隣接して配置された状態で、使用中に第３のスピーカが作り出す音響が第２の通路を通って移動して、第１のスピーカキャビネットの第１の面を通して放出され得るように配列された第２の通路をさらに備え得る。
【００１１】
モジュール式スピーカは、第１のスピーカキャビネット内の第１の通路に隣接して配列された、第２のスピーカを含む第２のスピーカキャビネットを備え得る。
【００１２】
モジュール式スピーカシステムは、第１のスピーカキャビネット内の第２の通路に隣接して配列された、第３のスピーカを含む第３のスピーカキャビネットをさらに備え得る。
【００１３】
スピーカキャビネットは、スピーカが配列される少なくとも１つの空所をそれぞれの中に伴う、箱に似た構造物を備え得る。あるいは空所は、間仕切壁を含むことにより分割され得る。
【００１４】
第２のスピーカキャビネットは、第３のスピーカを含む第３のスピーカキャビネットが第２のスピーカキャビネットに隣接して配置された状態で、使用中に第３のスピーカが作り出す音響が第３の通路、ならびに第１の通路および／または第２の通路を通って移動して、第１のスピーカキャビネットの第１の面を通して放出され得るように配列された第３の通路をさらに備え得る。
【００１５】
第２のスピーカキャビネットは、第２のスピーカから第２のスピーカキャビネットの外側の表面内の開口部まで音響を伝達するように配列された第４の通路を含み得る、そして、開口部の場所は、第１のスピーカキャビネットおよび第２のスピーカキャビネットが互いに隣接した状態で、第１のスピーカキャビネット内の第１の通路の端部と一直線に合う。
【００１６】
あるいは、第４の通路の代わりに、第２のスピーカは、第２のスピーカキャビネットの前面に、または前面に隣接して、配列され得る。この点に関して、第２のスピーカに隣接する、第２のスピーカキャビネットの前面の領域は、実質的に開口した状態であり得る。
【００１７】
第３のスピーカキャビネットは、第３のスピーカから第３のスピーカキャビネットの外側の表面内の開口部まで音響を伝達するように配列された第５の通路を含み得る、そして、開口部の場所は、第１のスピーカキャビネットおよび第２のスピーカキャビネットが互いに隣接した状態で、第１のスピーカキャビネット内の第１の通路の端部と一直線に合う、または第２のスピーカキャビネットおよび第３のスピーカキャビネットが互いに隣接した状態で、第２のスピーカキャビネット内の第３の通路の端部と一直線に合う。
【００１８】
第１のスピーカキャビネットは、使用中に第１のスピーカから放出される音響が移動して、第１の面に到達する第６の通路を含み得る。この配列は、第１のスピーカが第１の面に、または第１の面に隣接して置かれた場合ではなく、第１の面の背面に置かれた場合に採用し得る。
【００１９】
第１のスピーカキャビネット、第２のスピーカキャビネット、および第３のスピーカキャビネットの任意の１つは、反射ポートを含み得る。反射ポートにより、任意のスピーカの後方から得られる音響は、開口部を介してスピーカキャビネットから出ることができるようになり得る。これらの反射ポートにより、スピーカの後方から放出される音響は、どの壁も通過する必要なしにスピーカキャビネットから直接出ることができるようになる。反射ポートのデザイン（形状、サイズ）を利用して、スピーカの裏が位置する、キャビネットにより形成されるチャンバを調節し得る。
【００２０】
第１のスピーカキャビネットの反射ポートを第１の面上に配列し得る。しかしながら、スピーカキャビネットの別の側面に配列するなど、他の配列が企図される。
【００２１】
第２のスピーカキャビネットの反射ポートは、第１のスピーカキャビネットおよび第２のスピーカキャビネットが互いに隣接した状態で、第１のスピーカキャビネットにより妨げられていないように配列され得る。換言すれば、ポートは、第１のスピーカキャビネットが第２のスピーカキャビネットに取り付けられた状態で、第１のスピーカキャビネットがポートを遮断しないように、第２のスピーカキャビネットの表面上に位置決めされ得る。
【００２２】
しかしながら、第２のスピーカキャビネットの反射ポートは、第２の通路の一方の端部と同じキャビネットの側面上に依然として配列され得る。そのような状況では、ポートの前に第１のスピーカキャビネットが伸長し得ないので、ポートは遮断されない。これは、第１のスピーカキャビネットおよび第２のスピーカキャビネットが一緒に取り付けられた状態で、第１のスピーカキャビネットの表面に直接隣接した、第１のスピーカキャビネットの前記表面よりも大きい表面を第２のスピーカキャビネットが有するためであり得る。
【００２３】
第２のスピーカキャビネットの反射ポートは、第４の通路の開口部と同じキャビネットの側面上に配列され得る。
【００２４】
第１のスピーカキャビネットの反射ポートを第１の面上に配列し得る。
【００２５】
スピーカキャビネットは、スピーカキャビネットを一緒に解放可能なように取り付けるための取付手段を含み得る。これらの取付手段は、典型的にはループ部分およびフック部分を含み、フック部分およびループ部分の一方は、２つのスピーカキャビネットの一方の上に位置決めされ、フック部分およびループ部分の他方は、２つのスピーカキャビネットの他方の上に位置決めされる。他のタイプの取付手段が企図される。
【００２６】
取付手段は、外箱留め金を含み得る。取付手段は、第１のスピーカキャビネットおよび第２のスピーカキャビネットの各々の上に一方の部分が配列された、２つの協同する部分を含み得る。
【００２７】
第１のスピーカキャビネットも第２のスピーカキャビネットも、各キャビネット上で１対の取付手段の距離が同じになるように配列された１対の取付手段を含み得る。
【００２８】
システムは、多くの異なるサイズおよび形状のスピーカキャビネットを企図するが、しかしながら、各スピーカキャビネットは、さまざまなスピーカキャビネットの組合せを互いに取り付け得るように同じ距離だけ間隔を置いて配置された２つの取付手段を含み得る。
【００２９】
使用すべきスピーカに基づき選択した固有のサイズおよび形状、所望の周波数、適用分野、ならびに放出すべき音響の他の特性をそれぞれ有する、いくつかの異なる第１の、第２の、第３の、および場合によってはさらに多くのスピーカキャビネットを作り出すことが企図される。
【００３０】
この点に関して、各第１のスピーカキャビネット上の第１の通路への入口の位置は、使用中に第２のスピーカキャビネットから放出される音響が第１の通路を介して第１のスピーカキャビネットの第１の面に到達するように、さまざまな第１のスピーカキャビネットおよび第２のスピーカキャビネットを正しく一直線に合わせ得るように、取付手段に対して同じ場所を有し得る。
【００３１】
同様に、第１のスピーカキャビネットの背後に取り付けるように適合された各第２のスピーカキャビネット上の第２の通路の一端部の位置は、使用中に第２のスピーカキャビネットから放出される音響が第１の通路を介して第１のスピーカキャビネットの第１の面に到達するように、さまざまな第１のスピーカキャビネットおよび第２のスピーカキャビネットを正しく一直線に合わせ得るように、取付手段に対して同じ場所を有し得る。
【００３２】
モジュール式スピーカシステムは、２つの第１のスピーカキャビネットおよび２つの第２のスピーカキャビネットを備え得る、その場合、スピーカキャビネットは、２つの第１のスピーカキャビネットが横に並んでおり、かつ２つの第２のスピーカキャビネットが２つの第１のスピーカキャビネットに隣接して横に並んでいる状態で、２つの第１のスピーカキャビネットおよび２つの第２のスピーカキャビネットをすべて一緒に解放可能なように取り付けるための取付手段を含む。
【００３３】
２つの第１のスピーカキャビネットの２つの第１の通路は、２つの横に並んだ第１のスピーカキャビネットの中央に、または中央に向けて配列され得る。
【００３４】
同様に、システムは、第１のスピーカキャビネットもしくは第２のスピーカキャビネットのうち３つ以上を含み得る、または実際は、２つ以上の第３のスピーカキャビネットもしくは第４のスピーカキャビネットを含み得る。
【００３５】
通路のいずれも横断面形状および／または面積は、通路の長さに沿って変わり得る。通路の長手方向の軸は、直線であり得る。あるいは、通路の長手方向の軸は、その長さに沿って弯曲部を含み得る。
【００３６】
モジュール式スピーカシステムは、第１の、第２の、第３の、または第４の通路のいずれの端部も解放可能なように遮断するための閉塞手段をさらに備え得る。そのような閉塞手段は、蝶番式もしくはスライド可能なフラップもしくは板であり得る、または全体が取外し可能で交換可能なキャビネットの壁であり得る。
【００３７】
本発明に関する上記および他の特性、特徴、および利点は、本発明の原理を例として示す添付図面と併せて取り上げる以下の詳細な記述から明らかになるであろう。この記述は、本発明の範囲を限定することなく、例のためだけに示される。以下で引用する参考図は添付図を指す。
【図面の簡単な説明】
【００３８】
【図１】スピーカキャビネットが取り付けられていない状態のモジュール式スピーカシステムの透視図である。
【図２】スピーカキャビネットを取り付けた状態の、図１のモジュール式スピーカシステムの透視図である。
【図３】スピーカキャビネットが取り付けられていない状態の、別のモジュール式スピーカシステムの透視図である。
【図４】図２のモジュール式スピーカシステムの別の透視図である。
【図５】スピーカキャビネットを取り付けた状態の、さらに別のモジュール式スピーカシステムの透視図である。
【図６】異なるモジュール式スピーカシステムの平面図である。
【発明を実施するための形態】
【００３９】
本発明について、ある種の図面に関して記述するが、本発明は、それに限定されるのではなく、特許請求の範囲のみにより限定される。記述する図面は、簡略図でしかなく、限定するものではない。各図面は、本発明の特徴のすべてを含み得ず、したがって、本発明の一実施形態であると考えるべきでは必ずしもない。図面では、要素のいくつかに関するサイズは、誇張され、例示目的のため縮尺どおりに描かれていないことがあり得る。寸法および相対寸法は、本発明を実施するための実際の縮図に対応するわけではない。
【００４０】
さらに、本明細書および特許請求の範囲の、第１の、第２の、第３のなどの用語は、類似要素を区別するために使用され、時間的に、空間的に、順序付けで、または他の任意の手法で、順序を記述するためのものでは必ずしもない。そのように使用する用語は、適切な状況の下で交換可能であること、および動作は、本明細書で記述または例示する以外の順序で可能であることを理解されたい。
【００４１】
さらに、本明細書および特許請求の範囲の最上部、底部、真上に、真下になどの用語は、記述する目的で使用され、相対的な場所を記述するために使用されるのでは必ずしもない。そのように使用する用語は、適切な状況の下で交換可能であること、および動作は、本明細書で記述または例示する以外の向きで可能であることを理解されたい。
【００４２】
特許請求の範囲で使用する用語「ｃｏｍｐｒｉｓｉｎｇ（備える）」は、その後に列挙する手段に限定されると解釈されるべきではなく、他の要素またはステップを除外しないことに留意されたい。したがって、この用語は、言及する特徴、完全体、ステップ、または構成要素が、参照されるように存在することを指定すると解釈されるべきであるが、１つまたは複数の他の特徴、完全体、ステップ、もしくは構成要素、またはそれらのグループの存在または追加を排除しない。したがって、「手段ＡおよびＢを備える機器」という表現の範囲は、構成要素ＡおよびＢだけから構成される機器に限定されるべきではない。この用語は、本発明に関して、機器の関連性のある構成要素がＡおよびＢだけであることを意味する。
【００４３】
同様に、本明細書で使用する用語「ｃｏｎｎｅｃｔｅｄ（接続された）」は、直接接続だけに限定されると解釈すべきではないことに留意されたい。したがって、「機器Ｂに接続された機器Ａ」という表現の範囲は、機器Ａの出力が機器Ｂの入力に直接接続されている機器またはシステムに限定されるべきではない。この表現は、他の機器または手段を含む経路であり得る、Ａの出力とＢの入力の間の経路が存在することを意味する。「接続された」は、２つ以上の要素が、直接物理的に、もしくは電気的に接触していること、または２つ以上の要素が、互いに直接接触しているのではなく、まだ依然として互いに協力する、または相互作用することを意味し得る。たとえば、無線接続が企図される。
【００４４】
本明細書全体を通して「ａｎ  ｅｍｂｏｄｉｍｅｎｔ（ある実施形態）」または「ａｎ  ａｓｐｅｃｔ（ある態様）」への言及は、実施形態または態様に関連して記述する特定の特徴、構造、または特性が、本発明の少なくとも１つの実施形態または態様に含まれることを意味する。したがって、本明細書全体を通してさまざまな場所で、「ｉｎ  ｏｎｅ  ｅｍｂｏｄｉｍｅｎｔ（一実施形態では）」、「ｉｎ  ａｎ  ｅｍｂｏｄｉｍｅｎｔ（ある実施形態では）」、または「ｉｎ  ａｎ  ａｓｐｅｃｔ（ある態様では）」という句の出現はすべて、同じ実施形態または態様を参照しているのでは必ずしもなく、異なる実施形態または態様を指し得る。さらに、１つもしくは複数の実施形態または態様で、本開示から当業者に明らかなように、本発明の任意の実施形態または態様の特定の特徴、構造、または特性を、任意の適切な手法で組み合わせ得る。
【００４５】
同様に、本明細書では、本開示を簡素化するために、かつ発明のさまざまな態様の１つまたは複数を理解する手助けをするために、本発明のさまざまな特徴を、本発明の単一の実施形態、図、または記述で一緒にグループ化することがあることを認識されたい。しかしながらこの開示方法は、特許請求される本発明が、各請求項で明示的に列挙するよりも多くの特徴を必要とするという意図を反映していると解釈されるべきではない。さらに、任意の個々の図または態様の記述を、本発明のある実施形態であると考えるべきでは必ずしもない。むしろ、以下の特許請求の範囲が示すように、本発明の態様は、前述の開示される単一の実施形態のすべての特徴よりも少ない特徴に見いだされる。したがってこの結果として、詳細な記述に続く特許請求の範囲は、明示的にこの詳細な記述に組み込まれ、各請求項は、本発明の別個の、ある実施形態として単独で有効である。
【００４６】
さらに、本明細書で記述するいくつかの実施形態は、他の実施形態に含まれるいくつかの特徴を含むが、異なる実施形態の特徴の組合せは、本発明の範囲に入り、かつ当業者が理解するように、さらに別の実施形態を形成することが意図される。たとえば、以下の特許請求の範囲では、特許請求される実施形態のいずれも、任意の組合せで使用することができる。
【００４７】
本明細書で提供する記述では、数多くの特有の詳細について示す。しかしながら、これらの特有の詳細なしに、本発明の実施形態を実施し得ることが理解される。他の実例では、周知の方法、構造、および技法について、この記述の理解を不明瞭にしないように、詳細に示さなかった。
【００４８】
本発明の議論では、それとは反対に言及しない限り、パラメータの許される範囲の上限または下限に関する代替値の開示は、前記値の一方が他方よりも非常に好ましいという指示と相まって、前記代替値のうち、より好ましい代替値とあまり好ましくない代替値の間にある、前記パラメータの各中間値がそれ自体、前記あまり好ましくない値よりも好ましく、かつ前記あまり好ましくない値と前記中間値の間にある各値よりも好ましいという暗黙の言明と解釈されるべきである。
【００４９】
「少なくとも１つ」という用語を使用することは、ある種の状況で１つだけを意味し得る。
【００５０】
次に、本発明の原理について、本発明の代表的特徴に関係がある少なくとも１つの図面の詳細な記述により示す。本発明の、基になる概念または技術的教示から逸脱することなく、当業者の知識に従って他の配列を構成することができることは明らかであり、本発明は、添付の特許請求の範囲の用語のみにより限定される。
【００５１】
図１には、第２のスピーカキャビネット２０の右側に、第１のスピーカキャビネット１０が別個に示されている。第１のスピーカキャビネット１０は、４つの側壁と、スピーカ３０の振動板が前方の側壁４０（第１の面）内の孔を通して突出して位置決めされるようにスピーカ３０が内部に配列される、箱に似た空所を形成する基部とを含む。前方の側壁４０の中に切り込まれた孔から空所の中に部分的に伸長する中空管からそれぞれなる４つの反射ポート７０は、スピーカ３０の周囲に対称的に配列される。前方の側壁４０は、バッフルと考えられ得る。箱に似た構造物の一方の側面に、前方の側面（第１の面）４０から後方の側面６０まで伸長するように、第１の通路５０が配列される。通路５０は、両方の端部で開口している。通路５０は、第１のスピーカキャビネット１０の基部に実質的に平行に配列された水平な筋かい部材５２が存在することにより２つに分割される。
【００５２】
第１のスピーカキャビネット１０は、その理解を改善するために、第１のスピーカキャビネット１０の上方の側面（蓋）が取り除かれた状態で示されている。
【００５３】
第１のスピーカキャビネット１０の後方の側面６０の背後に、第２のスピーカキャビネット２０が示されている。第２のスピーカキャビネット２０は、４つの側面から形成された箱に似た構造物と、基部とを備える。前方の側面１００は、第１のスピーカキャビネット１０の後方の側面６０に隣接して示されている。スピーカ８０は、その振動板の前方の平面が前方の側面１００の平面に対してほぼ４５°の角度で置かれているように、前方の側面１００と側壁の一方との間に配列された内壁９０（バッフルとしても知られている）の中に配列される。前方の側面１００は、スピーカ８０からの音響が第２のスピーカキャビネット２０から外に進むことができるようにする孔１１０を含む。
【００５４】
反射ポート１２０は、前方の側面１００の内部に配列される。短い通路が、このポート１２０から箱に似た構造物の空所の中に伸長する。
【００５５】
スピーカ８０は、前方の側面１００から背後に置かれるので、通路１０５は、前方の側面１００の前に形成され、前方の側面１００まで伸長する。この通路１０５は、スピーカ８０が配列される壁９０、隣接する側壁の１つの一部、ならびに基部および上方の側面／蓋（キャビネットに関する理解を向上させるために示さず）の一部により制限される。この通路１０５は、前方の側面１００に置かれている通路１０５の端部が開口して示されている。
【００５６】
反射ポート１２０に隣接する前方の側面１００上に突出部１０１が配列される。この突出部１０１は、２つのキャビネットが一緒に取り付けられたとき、第１のスピーカキャビネット１０の後方の側面６０上に提供された凹部９１の中にぴったり合う。突出部１０１および凹部９１は、一方を他方に取り付ける間、２つのキャビネットを一緒に位置決めするのに役立つ。
【００５７】
図２には、２つのスピーカキャビネットが一緒に取り付けられて示されている。第２のスピーカキャビネットの前方の側面１００の孔１１０は、第１のスピーカキャビネット１０内の第１の通路への入口５５よりも大きいことに留意されたい。壁５３の部分の主要な平面が後方の側面６０の平面に対してほぼ４５°で置かれているように配列された壁５３の部分が、第１のスピーカキャビネット１０内に提供される。この壁５３は、第２のスピーカキャビネット２０の第２の通路１０５から第１のスピーカキャビネット１０の第１の通路５０の中に放出される音響を集中させるように作用する。壁５３はまた、第１の通路５０を調節するように作用し得る。
【００５８】
第２のスピーカキャビネット２０の反射ポート１２０は、第１のスピーカキャビネット１０により遮られていないことに留意されたい。
【００５９】
第２のスピーカキャビネットは、それ自体で「反射サブウーファ」であり得るが、第１のスピーカキャビネットと組み合わせたとき、「６次帯域通過サブウーファ」であり得る。
【００６０】
図３には、第１のスピーカキャビネット２１０および第２のスピーカキャビネット２２０の別の配列が示されている。この場合も、両方のスピーカキャビネットは、箱に似た構造物を有する。図３は、両方のスピーカキャビネットを、それらの理解を向上させるために、それらの蓋２１１、２２１を取り除いて示す。第１のスピーカキャビネット２１０は、その振動板が、スピーカキャビネットの側壁の１つの内面の方を指すように、バッフル内に配列されたスピーカ２３０を含む。第３の通路２５２は、スピーカキャビネットの第１の面２４０に到達するまで、らせんに似た手法でスピーカ２３０から伸長する。仕切壁２５３は、第１の面２４０の近くで第３の通路を分割する。この仕切壁は、スピーカキャビネットを強化するように作用し得る。
【００６１】
スピーカ２３０は、その駆動回路、および振動板の後方部分が、筐体に実質的に取り囲まれるように配列される。２つの反射ポート２７０は、この筐体から第１の面２４０に向かって伸長するように配列される。
【００６２】
第１の通路２５０は、スピーカキャビネット２１０の一方の側面に合わせて配列される。第１の通路２５０は、第１のスピーカキャビネットの後方の側面内の開口部から第１の面２４０に至る。通路２５０は、第１の面２４０に近づくにつれて広くなる。
【００６３】
第２のスピーカキャビネット２２０は、主要な平面が第２のスピーカキャビネット２２０の前方の側面３００に対してほぼ４５°で配列された内壁またはバッフル２９０により支えられるスピーカ２８０を有する。第２の通路３０５は、スピーカ２８０の前方から、第２のスピーカキャビネット２２０の前方の側面３００に提供された孔３１０に至る。この第２の通路３０５は、その軸長に沿って実質的に一様な長方形の横断面を有する。
【００６４】
２つのスピーカキャビネットを一緒に取り付けると、孔３１０は、使用中に第２のスピーカキャビネット内のスピーカから放出される音響が第１の通路２５０および第２の通路３０５を介して第１の面２４０に到達するように、第１のスピーカキャビネット２１０の後方内の孔と一直線に合う。ポートを含み得るが、第２のスピーカキャビネット２２０に関して反射ポートは何も示されていない。
【００６５】
各蓋２１１、２２１の上に、取付手段２１５、２２５が示されている。第１のスピーカキャビネット上の取付手段２１５は、手動操作により第２のスピーカキャビネット上の取付手段２２５と係合可能である。
【００６６】
図４は、第１のスピーカキャビネット１０の前方右上からの、図２内の２つのスピーカキャビネットの透視図を示す。第１のスピーカキャビネット１０内のスピーカ３０は、前方の第１の側面４０上に見える。第１のスピーカキャビネット１０内のスピーカのための４つの反射ポート７０もまた、スピーカの振動板の周囲に対称に配列されて見える。スピーカの左側に、第１の通路５０の出口が見える。さらに、第１の面４０の右側に、第２のスピーカキャビネット２０内のスピーカからの反射ポート１２０が見える。
【００６７】
最上部には、互いに相互に嵌合した取付手段１１５、１２５が見える。
【００６８】
図５は、２つの第１のスピーカキャビネット５１０Ａ、５１０Ｂおよび２つの第２のスピーカキャビネット５２０Ａ、５２０Ｂからなる配列５００を示す。明確にするために、すべてのスピーカキャビネットは、それらの上方の側面（蓋）が取り除かれている。２つの第１のスピーカキャビネットは、一緒に取り付けられ、２つの第２のスピーカキャビネットは、第１の２つのスピーカキャビネットに取り付けられる。スピーカキャビネットのタイプは、図３に関連して記述したスピーカキャビネットに類似する。
【００６９】
２つの第１のスピーカキャビネット５１０Ａ、５１０Ｂの前面は、第１の通路２５０の出口と、第２の通路２５２と、反射ポート２７０とを含む。
【００７０】
図５には、スピーカは示されていないが、そのようなスピーカを受け入れるためのスピーカそれぞれのバッフル内の孔２３０Ａ、２８０Ａが、スピーカキャビネットの各々の中に示されている。
【００７１】
配列５００は、２つの隣接する２つの第１のスピーカキャビネットと２つの第２のスピーカキャビネットの間で前方から後方へ通過する軸を中心に対称性があることに留意されたい。換言すれば、右側の第１のスピーカキャビネット５１０Ｂおよび第２のスピーカキャビネット５２０Ｂは、２つの第１のスピーカキャビネット５１０Ａ、５１０Ｂのスピーカが、実質的に反対方向に外側にそれぞれ向くように、左側の第１のスピーカキャビネット５１０Ａおよび第２のスピーカキャビネット５２０Ａと比較して１８０°だけ反転している。
【００７２】
図６は、いくつかのスピーカキャビネット６１０、６２０、６３０を備える、代わりのモジュール式スピーカキャビネットシステム６００を示す。これらのスピーカキャビネットは、互いに取り付けられて示されていないが、しかしながら、隣接する各スピーカキャビネットの間に隙間がまったくないように一緒に取り付けられたときのように、類似する一般的配列にあることを理解されたい。
【００７３】
第１のスピーカキャビネット６１０は、前方壁６４０を有する。このキャビネットの内部に、４つのスピーカ６３０が、すなわち、前方壁６４０から後方壁６６０まで伸長し、かつ後方壁６６０および前方壁６４０内に提供される開口の両端部で開口した中央の通路６５０のどちらの側にも２つのスピーカが配列されている。使用中にこれらのスピーカ６３０の前方から放出された音響は、この中央の通路６５０を通って移動して、キャビネットの前方壁（第１の面）６４０に到達し、したがって、聴衆の方に放出される。
【００７４】
２つの反射ポート６２０が、中央の通路６５０のいずれの側にも１つ、前方壁６４０上に提供される。これらの反射ポートにより、スピーカ６３０の後方からの音響が、キャビネットを出て、モジュール式システム６００の前方に位置する聴衆に聞こえるようになる。
【００７５】
第１のスピーカキャビネット６１０はまた、スピーカ６３０の後方とスピーカキャビネット６１０の側壁の間でスピーカキャビネット６１０のそれぞれの側に１つ位置決めされた、２つの通路６５３を含む。これらの通路６５３は、後方壁６６０から前方壁６４０まで伸長し、後方壁６６０および前方壁６４０内に提供される開口を伴って両側で開口する。
【００７６】
また、第２のスピーカキャビネット６２０が描かれている。第２のスピーカキャビネット６２０は、その内部に、後方壁６２３から前方壁６０３まで伸長する中央の通路６０５のいずれの側にも配列された２つのスピーカ６８０を有する。使用中に２つのスピーカ６８０の前方から放出された音響は、中央の通路６０５を介して前方壁６０３まで移動する。中央の通路６０５は、使用中に、第２のスピーカキャビネット６２０内のスピーカ６８０からの音響が第２のスピーカキャビネット６２０の中央の通路６０５を通って、次いで、第１のスピーカキャビネット６１０の中央の通路６５０を通って移動するように一緒に取り付けられた第１のスピーカキャビネット６１０および第２のスピーカキャビネット６２０と一直線に合う。
【００７７】
第２のスピーカキャビネット６２０はまた、スピーカ６８０の後方とスピーカキャビネット６２０の側壁の間でスピーカキャビネット６２０のいずれの側にも１つ位置決めされた、２つの通路６６６を含む。これらの通路６６６は、後方壁６２３から前方壁６０３まで伸長し、後方壁６２３および前方壁６０３内に提供される開口を伴って両端部で開口する。
【００７８】
各通路６６６の端部が第２のスピーカキャビネット６２０の前方壁６０３の上で開口する地点は、第１のスピーカキャビネットおよび第２のスピーカキャビネットが一緒に取り付けられた状態で、各通路６５３が第１のスピーカキャビネット６１０の後方壁６６０の上で開口する地点と一直線に合うように配列される。
【００７９】
第２のスピーカキャビネット６２０の後方に、２つの第３のスピーカキャビネット６３０が提供される。これらの第３のスピーカキャビネットは、両方とも第２のスピーカキャビネット６２０の後方壁６２３の背後で互いに横に並んでぴったり合うことができるように、第２のスピーカキャビネット６２０よりも小さい。
【００８０】
第３のスピーカキャビネット６３０は、それぞれスピーカ６９９を含む。通路６７１は、各スピーカ６９９の前方から各スピーカキャビネット６３０の前方壁６２４まで至る。通路６７１が開口する、各第３のスピーカキャビネット６３０の前方壁６２４上の地点の場所は、通路６７１が、第２のスピーカキャビネット６２０の後方壁６２３上の通路６６６の各々の開口部と一直線に合わせられ得るように配列される。
【００８１】
この手法では、使用中のときに第３のスピーカキャビネット６０３内のスピーカ６９９から放出される音響は、通路６７１、６６６、６５３を介して第１のスピーカキャビネット６１０の前方壁６４０に到達し得る。
【００８２】
図示しないが、第２のスピーカキャビネットおよび／または第３のスピーカキャビネットはまた、反射ポートを含み得る。
【００８３】
第１のスピーカキャビネット６１０および第２のスピーカキャビネット６２０は、単一のキャビネットとして示されているが、それぞれ互いに解放可能に取り付け可能な２つのキャビネットであり得ることが企図される。
【００８４】
第１のスピーカキャビネット６１０、第２のスピーカキャビネット６２０、および第３のスピーカキャビネット６３０は、ほぼ同じ高さを有し得る。しかしながら、第１のスピーカキャビネット、第２のスピーカキャビネット、または第３のスピーカキャビネットのうち任意の１つまたは複数は、その他のスピーカキャビネットの最大高さの半分の高さを有し得ることもまた企図される。このようにして、半分の高さのそのスピーカキャビネットの２つの層を提供し得る。必要に応じて、通路６５３、６６６、６７１、６０５、６５０を変えて、任意のスピーカ６３０、６８０、６９９が放出する音響が前方壁６４０に到達するよう連続経路を確保し得る。
【００８５】
使用中に、隣接するスピーカキャビネットを一緒に密封して、接合部で音響を損失させないために、隣接するスピーカキャビネットの間にガスケットを含むことが望ましいことがあり得る。ゴム製ガスケットが企図される。
【００８６】
図に関しては、ある種の特徴の明確性を向上させるために、ある種の特徴が含まれていないことを理解されたい。たとえば、配線はまったく示されていないし、どんな防音用の気泡ゴムなども示されていない。
【図１】
2020512756.tif 000003
【図２】
2020512756.tif 000004
【図３】
2020512756.tif 000005
【図４】
2020512756.tif 000006
【図５】
2020512756.tif 000007
【図６】
2020512756.tif 000008
【国際調査報告】
2020512756.tif 000009
2020512756.tif 000010